(57)【要約】【課題】  ネットワークに簡単に参入できてパラメータ設定に要する時間の短縮化、およびパラメータの設定ミスによる誤動作等の不具合発生を低減したノード装置を提供する。【解決手段】  管理装置Ｍは各ノード装置Ｎ１〜Ｎ４からパラメータＰ１〜Ｐ４を収集した後、これらのパラメータＰ１〜Ｐ４を特定のノード装置例えばＮ１に転送する。ネットワークに新規参入するノード装置例えばＮ３は、起動時に自己のパラメータを検査し、通信に必要なパラメータがなければネットワーク内の他のノード装置Ｎ１，Ｎ２，Ｎ４にパラメータ取得要求を出し、自己のパラメータＰ３を保有するノード装置Ｎ１から当該パラメータＰ３を取得した後、このパラメータＰ３に基づいて起動する。【選択図】        図１
2005236613.tif 000002
【特許請求の範囲】
【請求項１】
複数のノード装置と、各ノード装置を管理する管理装置とから構成されるネットワークシステムにおいて、
上記管理装置は、上記各ノード装置から各ノード装置の通信に必要なパラメータを収集するパラメータ収集手段と、このパラメータ収集手段で収集した全てのノード装置に関するパラメータを特定のノード装置に転送するパラメータ転送手段とを備える一方、
上記各ノード装置は、上記パラメータを保存するパラメータ保存部と、このパラメータ保存部において通信に必要な自己の全てのパラメータが設定登録されていない場合に他のノード装置に対して自己のパラメータの取得要求を出すパラメータ取得要求手段と、他のノード装置からの上記パラメータ取得要求に対して該当するパラメータを保有する場合には応答をパラメータ取得要求元のノード装置に対して返す応答手段と、他のノード装置からパラメータ取得応答があった場合には応答のあった当該ノード装置から自己のパラメータを取得して上記パラメータ保存部に保存するパラメータ取得手段とを備えることを特徴とするネットワークシステム。
【請求項２】
上記パラメータ取得要求手段は、ネットワーク内の個々のノード装置を特定するノードＩＤに関し、上記パラメータ保存部に保存されているノードＩＤとハードウェアにより設定された自己のノードＩＤとが不一致の場合には、他のノード装置に対して無条件で上記パラメータ取得要求を出すものであることを特徴とする請求項１記載のネットワークシステム。
【発明の詳細な説明】
【技術分野】
【０００１】
本発明は、複数のノード装置と、各ノード装置を管理する管理装置とから構成されるネットワークシステムに関する。
【背景技術】
【０００２】
一般に、ネットワークシステムにおいては、ルータやＬＡＮスイッチ等の伝送制御を行うノード装置を通信回線を介して接続してネットワークを構成し、各ノード装置に対してコンピュータ等の端末機を接続して各種のデータ通信を行えるようにしている。このようなノード装置を用いてユーザの通信を可能とするためには、各ノード装置に対して通信に必要な様々なパラメータを設定しておく必要がある。
【０００３】
その場合のパラメータとしては、例えば、各々のノード装置を特定するためのノードＩＤ、通信を行うポート毎のＩＰアドレス、仮想ＬＡＮのように特定のグループ間でのみ通信を許可するグループ属性、セキュリティ用に通信範囲を一部制限して特定の通信のみを許可するフィルタ設定などがある。
【０００４】
ところで、例えば上記のノード装置の一つが故障したような場合には、別のノード装置と交換し、この交換後のノード装置をネットワークに新規に参入させることが必要になる。その場合、従来は、新規参入予定のノード装置を予め管理装置に接続し、管理装置からノード装置に対して交換前のノード装置と全て同じパラメータを設定した上で、このノード装置をネットワークに接続する必要があった。
【０００５】
なお、従来、トークンパッシング方式のネットワークにおいて、伝送装置（ここでのノード装置に相当）が新規参入してからトークンパッシングによる伝送制御が実際に可能になるまでに要する時間を短縮化して効率を向上させるようにした技術が提案されている（例えば、特許文献１参照）。
【０００６】
しかし、この従来技術の場合も、新規参入される伝送装置が他の伝送装置と通信可能になるためには、ネットワークに伝送装置を新規参入する前に、この伝送装置を予め管理装置に接続して交換前のノード装置と全て同じパラメータの設定を完了しておく必要がある。
【０００７】
【特許文献１】特公平６−８３２２２号公報（第７頁、第１図）
【発明の開示】
【発明が解決しようとする課題】
【０００８】
このように、従来のノード装置においては、ネットワークに新規参入するためには、事前にノード装置を管理装置に接続して交換前のノード装置と全て同じパラメータを設定しておく必要があるので、パラメータ設定のために余分な時間がかかる。しかも、管理装置によって設定入力するパラメータの数が多いために、パラメータの設定ミスが発生し易く、その結果、ノード装置が誤動作する可能性があるなどの問題が残されている。
【０００９】
本発明は、上記の課題を解決するためになされたもので、通信に必要な全てのパラメータ設定を事前に行わなくても、必要最小限の僅かなパラメータ設定を行うだけでネットワークに簡単かつ確実に参入できるようにして、パラメータ設定に要する時間の短縮化、およびパラメータの設定ミスによる誤動作等の不具合発生を低減することが可能なノード装置を提供することを目的とする。
【課題を解決するための手段】
【００１０】
上記の目的を達成するために、本発明にあっては、複数のノード装置と、各ノード装置を管理する管理装置とから構成されるネットワークシステムにおいて、次の構成を採用している。
【００１１】
すなわち、本発明に係るネットワークシステムにおいて、上記管理装置は、上記各ノード装置から各ノード装置の通信に必要なパラメータを収集するパラメータ収集手段と、このパラメータ収集手段で収集した全てのノード装置に関するパラメータを特定のノード装置に転送するパラメータ転送手段とを備える一方、上記各ノード装置は、上記パラメータを保存するパラメータ保存部と、このパラメータ保存部において通信に必要な自己の全てのパラメータが設定登録されていない場合に他のノード装置に対して自己のパラメータの取得要求を出すパラメータ取得要求手段と、他のノード装置からの上記パラメータ取得要求に対して該当するパラメータを保有する場合には応答をパラメータ取得要求元のノード装置に対して返す応答手段と、他のノード装置からパラメータ取得応答があった場合には応答のあった当該ノード装置から自己のパラメータを取得して上記パラメータ保存部に保存するパラメータ取得手段とを備えることを特徴としている。
【発明の効果】
【００１２】
本発明によれば、複数のノード装置の内の少なくとも一つのノード装置は、自他を含む各ノード装置のパラメータを保有しているので、ネットワークに新規参入するノード装置は、上記他のノード装置から自己のノード装置に関するパラメータを取得することができる。
【００１３】
このため、ネットワークに新規参入予定のノード装置は、通信に必要な全てのパラメータ設定を事前に行わなくても、必要最小限の僅かなパラメータ設定を行うだけでネットワークに簡単かつ確実に参入することができる。したがって、パラメータ設定に要する時間の短縮化を図ることが可能になる。また、パラメータの設定ミスによる誤動作等の不具合発生を可及的に低減することが可能になる。
【発明を実施するための最良の形態】
【００１４】
実施の形態１．
図１は、本発明の実施の形態１に係るネットワークシステム全体の構成図、図２は同システムにおける管理装置の構成を示す機能ブロック図、図３は同システムにおける各ノード装置の構成を示す機能ブロック図である。
【００１５】
この実施の形態１のネットワークシステムは、複数（本例では４つ）のノード装置Ｎ１〜Ｎ４が通信回線Ｌを介してリング状に接続されてネットワークが構成されている。そして、一つのノード装置、ここではＮ１に対して管理装置Ｍが接続されている。また、各ノード装置Ｎ１〜Ｎ４にはパーソナルコンピュータなどの端末機Ｔが接続されている。
【００１６】
上記の管理装置Ｍは、例えばパーソナルコンピュータからなるもので、パラメータ収集手段１１、パラメータ保存部１２、パラメータ転送手段１３、入力操作部１４、およびインタフェイス１５を備えている。
【００１７】
パラメータ収集手段１１は、各ノード装置Ｎ１〜Ｎ４から通信に必要なパラメータＰ１〜Ｐ４を収集する機能を有する。また、パラメータ保存部１２は、メモリ等で構成されており、パラメータ収集手段１１で収集した各ノード装置Ｎ１〜Ｎ４に関するパラメータＰ１〜Ｐ４を保存するものである。
【００１８】
パラメータ転送手段１３は、パラメータ保存部１２に保存されている各ノード装置Ｎ１〜Ｎ４に関するパラメータＰ１〜Ｐ４をある特定のノード装置に対して転送する機能を有している。さらに、インタフェイス１５には、ノード装置に接続するためのポートや他の機器を接続するためのポートが設けられている。また、入力操作部１４は、例えばキーボード等からなり、各ノード装置Ｎ１〜Ｎ４に関するパラメータＰ１〜Ｐ４を設定入力できるようになっている。
【００１９】
一方、各々のノード装置Ｎ１〜Ｎ４は、基本的に同じ構成を有しており、パラメータ保存部２１、パラメータ取得手段２２、応答手段２３、パラメータ取得要求手段２４、判定手段２５、インタフェイス２６、およびデップスイッチ２７を備えている。
【００２０】
パラメータ保存部２１は、メモリ等で構成され、通信に必要なパラメータを保存するものである。すなわち、パラメータ保存部２１には、自己のパラメータおよび他のノード装置のパラメータを保存できるようになっている。
【００２１】
また、パラメータ取得要求手段２４は、パラメータ保存部２１において通信に必要な自己のパラメータが設定登録されていない場合に他のノード装置に対して自己のパラメータの取得要求を出す機能を有する。
【００２２】
応答手段２３は、他のノード装置からのパラメータ取得要求に対してパラメータ保存部２１にこの要求に対応したパラメータが保有されている場合には、その応答をパラメータ取得要求元のノード装置に対して返すものである。
【００２３】
パラメータ取得手段２２は、他のノード装置からパラメータ取得応答があった場合にはその応答元のノード装置から自己のパラメータを取得してパラメータ保存部２１に保存する機能を有している。
【００２４】
インタフェイス２６には、通信回線Ｌに接続するためのノード装置間通信ポートや端末機Ｔを接続するためのポート（いずれも図示せず）などが設けられている。また、デップスイッチ２７は、ネットワーク内で互いのノード装置Ｎ１〜Ｎ４を一意に特定するためのノードＩＤをハードウェア的に設定できるものである。ここでは、一例としてノード装置Ｎ１のノードＩＤは“１”、ノード装置Ｎ２のノードＩＤは“２”、ノード装置Ｎ３のノードＩＤは“３”、ノード装置Ｎ４のノードＩＤは“４”に設定されている。
【００２５】
以下、各ノード装置Ｎ１〜Ｎ４を通信回線Ｌを介してリング状に接続してネットワークを構成する場合の初期状態からの動作を順次説明する。
【００２６】
各ノード装置Ｎ１〜Ｎ４に対して始めてパラメータＰ１〜Ｐ４を設定するには、管理装置Ｍに対して各ノード装置Ｎ１〜Ｎ４を個別に接続し、管理装置Ｍの入力操作部１４から個々のノード装置Ｎ１〜Ｎ４に対してパラメータＰ１〜Ｐ４を設定入力する。その結果、各ノード装置Ｎ１〜Ｎ４のパラメータ保存部２１には、それぞれ通信に必要な自己のパラメータＰ１〜Ｐ４が保存される。したがって、この場合の管理装置Ｍは単にデータ入力手段としての役目を果たしている。
【００２７】
なお、管理装置Ｍから設定入力される上記のパラメータＰ１〜Ｐ４には、例えば、各ノード装置Ｎ１〜Ｎ４を特定するためのノードＩＤ、通信を行うポート毎のＩＰアドレス、仮想ＬＡＮのように特定のグループ間でのみ通信を許可するグループ属性、セキュリティ用に通信範囲を一部制限して特定の通信のみを許可するフィルタ設定などがある。
【００２８】
こうして各ノード装置Ｎ１〜Ｎ４にそれぞれパラメータＰ１〜Ｐ４が設定されると、図４に示すように、各ノード装置Ｎ１〜Ｎ４を通信回線Ｌを介して互いに接続してネットワークを構成する。なお、この段階では、管理装置Ｍのパラメータ保存部１２には各ノード装置２のパラメータＰ１〜Ｐ４は格納されておらず、各ノード装置Ｎ１〜Ｎ４のパラメータ保存部２１に個別にパラメータＰ１〜Ｐ４が保持されている。
【００２９】
図４に示した初期状態になると、管理装置１は、始めて通信回線Ｌを介して各ノード装置Ｎ１〜Ｎ４との通信が可能になるので、入力操作部１４からのユーザの指示により、パラメータ収集手段１１が各ノード装置Ｎ１〜Ｎ４が保有するパラメータＰ１〜Ｐ４を収集してパラメータ保存部１２に保存する。
【００３０】
これにより、図５に示すように、管理装置Ｍのパラメータ保存部１２には、パラメータ収集の結果、ネットワークに接続された全てのノード装置Ｎ１〜Ｎ４に関するパラメータＰ１〜Ｐ４が保存される。
【００３１】
このようにして、管理装置Ｍのパラメータ保存部１２に全てのノード装置Ｎ１〜Ｎ４のパラメータＰ１〜Ｐ４が保存されると、入力操作部１４からのユーザの指示により、パラメータ転送手段１３はパラメータ保存部１２に保存されている全てのノード装置Ｎ１〜Ｎ４に関するパラメータＰ１〜Ｐ４を一括して特定のノード装置、例えばＮ１に転送する。これにより、図６に示すように、ネットワーク中のある特定のノード装置Ｎ１がネットワーク内の全てのノード装置Ｎ１〜Ｎ４に関するパラメータＰ１〜Ｐ４を保有することになる。
【００３２】
なお、ここでは一つのノード装置Ｎ１に対してネットワーク中の全てのノード装置Ｎ１〜Ｎ４に関するパラメータＰ１〜Ｐ４を転送するようにしているが、他のノード装置Ｎ２〜Ｎ４についても同様に全てのノード装置Ｎ１〜Ｎ４に関するパラメータＰ１〜Ｐ４を転送して保有させてもよい。
【００３３】
次に、新規参入するノード装置が他のノード装置からパラメータを取得する場合の処理動作について、図７および図８に示すフローチャートを参照して説明する。なお、以下で符号Ｓは各処理ステップを意味する。
【００３４】
ここでは、理解を容易にするため、一例として、図６において符号Ｎ３で示すある一つのノード装置が故障し、そのため、ユーザは故障したノード装置Ｎ３をネットワークから外して代替機となるノード装置と交換した後、この交換後のノード装置Ｎ３を新たにネットワークに新規参入させるものとする。
【００３５】
この場合、新規参入すべきノード装置Ｎ３を単にネットワークに接続しただけでは、通信に必要なパラメータＰ３が未だ設定されていないので、他のノード装置Ｎ１，Ｎ２，Ｎ４や管理装置Ｍとの通信は不可能である。そこで、この新規参入予定のノード装置Ｎ３に対しては、管理装置１を使用して予めノード装置間通信ポート用のＩＰアドレスおよびノードＩＤを設定した後に通信回線Ｌに接続して起動させる。
【００３６】
すると、このノード装置Ｎ３の判定手段２５は、まず、自己のパラメータ保存部２１に既に何らかのパラメータが保存されているか否かを確認する（Ｓ１）。ここで、他のノード装置Ｎ１，Ｎ２，Ｎ４から自己のパラメータＰ３を取得する場合、他ノード装置Ｎ１，Ｎ２，Ｎ４との通信を可能にする必要がある。この場合、他のノード装置Ｎ１，Ｎ２，Ｎ４との通信は、ノード間通信ポートを使用して行うので、ノード装置間通信ポートにはＩＰアドレスが必要となる。
【００３７】
したがって、Ｓ１において、パラメータ保存部２１に全く何のパラメータも登録されていないと判断された場合には、当然ながらノード間通信ポートのＩＰアドレスも登録されておらず、そのため、現状では他のノード装置Ｎ１，Ｎ２，Ｎ４との通信を行えないので、このノード装置Ｎ３は管理装置Ｍからパラメータが設定されるのを待つことになる（Ｓ１２）。
【００３８】
一方、Ｓ１において、判定手段２５によって自己のノード装置Ｎ３のパラメータ保存部２１に既に何らかのパラメータが登録されていると判断された場合には、次いで、ノード間通信ポートのＩＰアドレスが設定されているか確認する（Ｓ２）。これが設定されていなければ、上述の理由により他ノード装置Ｎ１，Ｎ２，Ｎ４との通信が行えないので、管理装置Ｍからパラメータが設定されるのを待つことになる（Ｓ１２）。
【００３９】
Ｓ２で他のノード装置Ｎ１，Ｎ２，Ｎ４との通信用ＩＰアドレスが設定されていれば、次に、判定手段２５は、パラメータ保存部２１に保存されているパラメータ中のノードＩＤと、デップスイッチ２７によってハードウェア的に設定されているノードＩＤとが一致するか否かを確認する（Ｓ３）。
【００４０】
例えば、以前にノード装置Ｎ２として使われていた装置を、故障したノード装置Ｎ３の代替機として使用する場合、代替機となるノード装置Ｎ３のパラメータ保存部２１には以前の通信用のパラメータＰ２がそのまま残っていることがある。この状態のままノード装置Ｎ３をネットワークに不意に参入させてしまうと、このノード装置Ｎ３は、以前のパラメータＰ２に基づいてそのまま動作するため、ネットワーク内にある既存のノード装置Ｎ２と衝突することになって正常な通信が行えなくなる。
【００４１】
そこで、上記Ｓ３において、判定手段２５によってデップスイッチ２７により設定されたノードＩＤ（この場合は“３”）と、パラメータ保存部２１に保存されているパラメータ中のノードＩＤとを比較した結果、両者が一致しないと判定された場合には、パラメータ取得要求手段２４は、次のＳ４の確認を行わずに無条件で他のノード装置Ｎ１，Ｎ２，Ｎ４に対してパラメータの取得要求をブロードキャストで送信する（Ｓ５）。この場合、送信されるパラメータ取得要求には、自己のノードＩＤ（この場合“３”）の情報が含まれている。
【００４２】
なお、ブロードキャストとは、ノード間通信ポートに接続された自己以外の他の全てのノード装置が強制的にデータを受信するモードであり、したがって、ネットワーク内の自己以外の他の全てのノード装置Ｎ１，Ｎ２，Ｎ４がこのパラメータ取得要求を受信することになる。
【００４３】
これに対して、Ｓ３においてパラメータ中にあるノードＩＤとデップスイッチ２７で設定されているノードＩＤとが一致している場合には、次に、判定手段２５は、パラメータ保存部２１にパラメータとして登録されているＩＰアドレスの内、ノード間通信ポート以外の他のポートに関するＩＰアドレスが存在するか否かを確認する（Ｓ４）。
【００４４】
ノード間通信ポート以外の他のポートは、ユーザが端末機Ｔを接続するために使用するポートであり、これらの他のポートのいずれかにＩＰアドレスが設定されているということは、ユーザが意図的な通信のために既に何らかの設定を行っているということである。したがって、この場合には現在登録されているパラメータを信頼して優先的に使用すべきであると判断することができる。そこで、ノード間通信ポート以外の他のポートに関するＩＰアドレスが既に設定がされている場合には、ノード装置Ｎ３はこれらのパラメータを使用して起動を行う（Ｓ１１）。
【００４５】
また、Ｓ４において、パラメータ保存部２１にノード間通信ポートに関するＩＰアドレスのみが設定登録されている場合は、ユーザによる通信を行う上でそれ以外のポートに関するＩＰアドレスを他のノード装置から入手する必要がある。そこで、パラメータ取得要求手段２４は、パラメータ取得要求をノード間通信ポートからブロードキャストで送信する（Ｓ５）。その場合、送信されるパラメータ取得要求には自己のノードＩＤ（この場合は“３”）の情報が含まれて入る。そして、このパラメータ取得要求は、ネットワーク内の他の全てのノード装置Ｎ１，Ｎ２，Ｎ４に受信される。
【００４６】
パラメータ取得要求を受信したノード装置Ｎ１，Ｎ２，Ｎ４の応答手段２３は、図８のフローチャートに示すように、パラメータ取得要求からノードＩＤを取り出し（Ｓ２１）次に、受信されたノードＩＤに対応するパラメータがパラメータ保存部２１内に格納されているか否かを検索する（Ｓ２２）。
【００４７】
このとき、受信したノードＩＤに対応するパラメータがパラメータ保存部２１に格納されていなければ、何もせずに処理を終了する（Ｓ２４）。これに対して、受信されたノードＩＤに該当するパラメータがパラメータ保存部２１に格納されておれば、応答手段２３は、そのノードＩＤに基づいてパラメータ取得要求がいずれのノード装置から送信されたのかを知ることができるので、パラメータ取得要求の送信元のノード装置Ｎ３に対してパラメータ取得応答を送信した後（Ｓ２３）、処理を終了する（Ｓ２４）。したがって、この例では、ノード装置Ｎ１がパラメータ取得応答を送信することになる。
【００４８】
図７に戻って、新規参入したノード装置Ｎ３は、次に、他のノード装置Ｎ１，Ｎ２，Ｎ４からのパラメータ取得応答があるか否かを判断する（Ｓ６）。パラメータ取得要求の送信元のノード装置Ｎ３に関するパラメータを持っているノード装置がネットワーク内に全く存在しなければ、ノード装置Ｎ３は他のノード装置Ｎ１，Ｎ２，Ｎ４からのパラメータ取得応答を受信することはない。つまり、この場合には他のノード装置Ｎ１，Ｎ２，Ｎ４から自己のノード装置Ｎ３に関するパラメータを取得できないので、管理装置Ｍによるパラメータ設定を待つことになる（Ｓ１２）。
【００４９】
これに対して、パラメータ取得要求の送信元のノード装置Ｎ３に関するパラメータを持っているノード装置（ここではＮ１）がネットワーク内に存在すれば、このノード装置Ｎ１からのパラメータ取得応答をパラメータ取得要求を出した送信元のノード装置Ｎ３が受信することになる。
【００５０】
その場合、ネットワークに新規参入したノード装置Ｎ３は、他のノード装置から送信されたパラメータ取得応答の内、最初のパラメータ取得応答を受信した時点でこのパラメータ取得応答を送信したノード装置Ｎ１に対してＦＴＰ（Ｆｉｌｅ  Ｔｒａｎｓｆｅｒ  Ｐｒｏｔｏｃｏｌ）で接続する。なお、ＦＴＰは、装置間でファイルを転送するためのプロトコルであるが、同様の目的に使えるプロトコルであればＦＴＰ以外のプロトコルであっても使用可能である。
【００５１】
そして、パラメータ取得手段２２は、他のノード装置Ｎ１のパラメータ保存部２１に保存されている自己のノード装置Ｎ３に関するパラメータＰ３を取得し、パラメータ取得が成功すれば（Ｓ８）、このパラメータＰ３を自己のノード装置Ｎ３のパラメータ保存部２１に保存する（Ｓ９）。なお、Ｓ８でパラメータ取得が不成功となった場合には、管理装置Ｍによるパラメータ設定を待つことになる（Ｓ１２）。
【００５２】
その後、こうしてパラメータＰ３を取得したノード装置Ｎ３は、自己自身を再起動し（Ｓ１０）、再起動後はＳ１に戻る。このとき、このノード装置Ｎ３は他のノード装置Ｎ１からパラメータを取得した結果、既にパラメータ保存部２１にはノード装置間通信ポートのＩＰアドレスに加えて端末機Ｔを接続するための他のポートに関するＩＰアドレスが格納されている。したがって、起動処理がＳ４に至ったときの判断はＹＥＳとなる。このため、ノード装置Ｎ３は自己のパラメータを使用して起動することになる（Ｓ１１）。
【００５３】
このように、ネットワークに新規参入するノード装置Ｎ３は、以前に動作していたのと同じノードＩＤを持つノード装置Ｎ３に関するパラメータを他のノード装置Ｎ１から取得することができる。このため、従来のように、新規参入予定のノード装置Ｎ３に対して予め管理装置Ｍによって通信に必要な全てのパラメータ設定を行った上でネットワークに参入させる必要がなくなる。つまり、新規参入予定のノード装置Ｎ３に対しては予めノード装置間通信ポート用のＩＰアドレスおよびノードＩＤだけを設定するだけでよいので、全てのパラメータを設定する場合に比べて設定項目が少なくて済み、パラメータ設定に要する時間が短縮化されるとともに、設定ミスによって通信障害を起こす可能性が低減される。
【００５４】
なお、ここでは符号Ｎ３で示すノード装置に関して新規参入する場合を例にとって説明したが、他のノード装置Ｎ１，Ｎ２，Ｎ４を新規参入させる場合についても処理動作は基本的に同じである。また、この実施の形態１では、４つのノード装置Ｎ１〜Ｎ４を通信回線Ｌを介して接続してネットワークを構成した場合を示したが、ノード装置の数は本例の４個に限定されるものでないことは勿論である。また、各ノード装置Ｎ１〜Ｎ４をリング状に接続しているが、バスライン状に接続した構成の場合にも当然適用することができる。
【図面の簡単な説明】
【００５５】
【図１】本発明の実施の形態１におけるネットワークシステム全体の構成図である。
【図２】同システムにおける管理装置の構成を示す機能ブロック図である。
【図３】同システムにおける各ノード装置の構成を示す機能ブロック図である。
【図４】本発明の実施の形態１において初期状態のネットワークを示す図である。
【図５】本発明の実施の形態１において、管理装置がネットワークに接続されている全てのノード装置からパラメータを取得した状態を示す図である。
【図６】本発明の実施の形態１において、管理装置からある特定のノード装置が他の全てのノード装置に関するパラメータを取得した状態を示す図である。
【図７】本発明の実施の形態１において、ネットワークに一つのノード装置を新規参入した場合の起動時の処理を示すフローチャートである。
【図８】本発明の実施の形態１において、ノード装置が他のノード装置からのパラメータ取得要求を受信した時の処理を示すフローチャートである。
【符号の説明】
【００５６】
Ｍ  管理装置、Ｎ１〜Ｎ４  ノード装置、Ｌ  通信回線、
Ｐ１〜Ｐ４  パラメータ、Ｔ  端末機、１１  パラメータ収集手段、
１２  パラメータ保存部、１３  パラメータ転送手段、１５  インタフェイス、
２１  パラメータ保存部、２２  パラメータ取得手段、２３  応答手段、
２４  パラメータ取得要求手段、２５  判定手段、
２７  デップスイッチ（ハードウェア）。
【図１】
2005236613.tif 000003
【図２】
2005236613.tif 000004
【図３】
2005236613.tif 000005
【図４】
2005236613.tif 000006
【図５】
2005236613.tif 000007
【図６】
2005236613.tif 000008
【図７】
2005236613.tif 000009
【図８】
2005236613.tif 000010